(57)【要約】      （修正有）【課題】障子の施錠操作を障子閉塞操作に連動して自動的に行え、防犯上好適な引き障子の施錠装置を提供する。【解決手段】縦枠４の戸当り１２に鉤状の受止片１３を障子の戸先框３方向にして突設する。障子閉塞操作時に回動して先部片６ａが該受止片１３に係止する施錠片６をその基部片６ｂにおいて前記戸先框３に回動自在に枢着する。また、前記戸先框３にばね１８によって上昇方向に付勢させて組付けた縦動材１５の上端部を施錠片６の前記基部片６ｂと連けいする。縦動材１５には前記戸先框３に設けた受止縁２３に係止して前記付勢を規制する規制部片２１を設ける。そして、障子閉塞時に前記規制部片２１を前記受止縁２３より離脱させる作動片２４を前記戸当り１２に設ける。【選択図】    図１
2005240279.tif 000002
【特許請求の範囲】
【請求項１】
縦枠側の戸当りと障子の戸先框のいずれか一方に鉤状の受止片を他の一方方向に突設し、障子閉塞時に回動して該受止片に係止する施錠片を、前記他の一方に回動自在にして枢着し、該施錠片と連けいしてこれを回動させる縦動片を前記他の一方に組付けると共に、該他の一方に設けた受止縁に人為的に係止させて前記縦動片のばね付勢による上昇を規制する規制部片を前記縦動片に設け、障子閉塞時に前記規制部片を前記受止縁より離脱させる作動片を前記一方に突設した、引き障子の施錠装置。
【発明の詳細な説明】
【技術分野】
【０００１】
本発明は引違いサッシや片引きサッシ等に適用する引き障子の施錠装置に関するものである。
【背景技術】
【０００２】
引違いサッシ等の引き障子を施錠するには、具体例を挙げるまでもなく、引き寄せを兼ねるクレセントを用いているのが一般で、該クレセントは、障子閉塞後、障子召合せ框に装置したクレセントを他の障子の召合せ框側或いは方立側に装置した受金具に係止させて施錠操作を行うものである。
【発明の開示】
【発明が解決しようとする課題】
【０００３】
障子の施錠手段として用いているクレセントは、障子閉塞後に別操作として所謂施錠操作を行わざるを得ないため、閉塞操作と施錠操作という二重の操作を必要とするため、その操作が煩雑であり、ときには施錠操作を失念する場合があって防犯上好ましくない。
【０００４】
本発明は斯様な従来例の欠点に着目し、施錠操作を障子閉塞操作に連動して自動的に行え、防犯上好適な施錠装置を提供すべく創案したものである。
【課題を解決するための手段】
【０００５】
縦枠側の戸当りと障子の戸先框のいずれか一方に鉤状の受止片を他の一方方向に突設し、障子閉塞時に回動して該受止片に係止する施錠片を、前記他の一方に回動自在にして枢着し、該施錠片と連けいしてこれを回動させる縦動片を前記他の一方に組付けると共に、該他の一方に設けた受止縁に人為的に係止させて前記縦動片のばね付勢による上昇を規制する規制部片を前記縦動片に設け、障子閉塞時に前記規制部片を前記受止縁より離脱させる作動片を前記一方に突設した構成としたものである。
【発明の効果】
【０００６】
本発明によれば、障子閉塞時に戸先框を窓枠の縦枠方向に移動させると、該戸先框と縦枠のいずれか一方に設けた受止縁に係止してばね付勢による縦動片の上昇を規制していた規制部片の前記受止縁に対する係止状態を、前記他の一方に突設した規制部片が開放し、この結果、縦動片はばね付勢によって上昇し、該縦動片の上端に連けいした施錠片は回動して前記他の一方側の受止片に係止して障子の施錠を自動的に行うことができる。
【０００７】
従って、施錠操作を失念することなく、防犯上好適な引き障子装置を得ることができる。
【実施例】
【０００８】
図面は本発明に係る引き障子の施錠装置の一実施例を示し、図１は要部の縦断面図、図２は図１の横断面図、図３は障子開放時の状態の要部の縦断面図、図４は図３のｘ−ｘ線断面図、図５は引違いサッシの略示正面図である。
【０００９】
実施例は、内外の障子ｄ´，ｄが互いに引き違う所謂引違いサッシＡに本発明を適用したもので、実施例の引違いサッシＡは、内障子ｄ´の召合せ框１´にクレセント２を、外障子ｄの召合せ框に受け金を設け、障子閉塞時にクレセント２を受け金に、係止して内外障子ｄ，ｄ´の召合せ框関係において施錠状態とする一方、各障子ｄ，ｄ´の戸先框３，３´と窓枠ｗの縦枠４，４´との関係においても施錠状態を得、すなわち本発明に係る装置を用いることによって（前記クレセントによる施錠装置と併用することによって）尚一層の防犯効果を期待するようにしたものである。
【００１０】
なお、本発明は片引きサッシにも適用できることはいうまでもない。
【００１１】
以下、実施例の引違いサッシＡの外障子ｄのと先框３と窓枠ｗの一方の縦枠４との関係の施錠装置について説明するが、内障子ｄ´側（内障子ｄ´の戸先框３´と他の一方の縦枠４´との関係）の施錠装置も施錠片６等の各部材が内障子ｄ´側と対称的に配される点だけが相異するだけで、残余の点は同様の構成を採るからその説明の詳細は省略する。
【００１２】
戸先框３（外障子ｄの）は、横断面方形状の中空主体３ａと該中空主体３ａの内外の部片３ａ´，３ａ´´の屋内外方向の両端にそれぞれ相対して突設した内外のひれ部片３ｂ，３ｂ、３ｃ，３ｃとで構成し、内ひれ部片３ｂ，３ｂと前記内部片３ａ´´で構成する係合溝にガラスパネル７を係合して該パネル７と組合わせ、外ひれ部片３ｃ，３ｃは障子閉塞時に前記縦枠４の屋内外の部片４ａ，４ａ間に係合するようにして図示省略したシール材と共に水気密性を高めるようにしたものである。
【００１３】
この戸先框３の中空主体３ａの縦方向の中間部には、主体３ａの屋内側部片３ａ´´´に設けた窓口を通じて方形中空状の装置基枠８を係合して戸先框主体３ａに前記外側部片３ａ´´においてボルト９で固着し、該装置基枠８には前記主体３ａの外側部片３ａ´´および該外側部片３ａ´´に重なり合う装置基枠８の部片８ａに設けた出入口１０を通じて回動しながら前記外ひれ部片３ｃ，３ｃ間を出入する鉤状の前記施錠片６を、その基部片６ｂにおいて該基枠８に横設した支軸１１で回動自在に枢着してある。
【００１４】
施錠片６は、やや円形の前記基部片６ｂと該基部片６ｂに突設した鉤状の先部片６ａで成り、前記出入口１０を通じて先部片６ａが戸先框主体部３ａ（装置基枠８）より戸先框３の、前記縦枠４の屋内外部片４ａ，４ａ間に係合する（障子閉塞時に）外ひれ部片３ｃ，ｃ間に突出して前記縦枠４の戸当り１２（屋内外部片４ａ，４ａ間に存する）に突設した鉤状の受止片１３に係止するようにして、前記の通り、戸先框３に設けてある。
【００１５】
この施錠片６の前記基部片６ｂは、支軸１１によって装置基枠８すなわち戸先框３に横軸回動自在に枢着する一方、前記支軸１１の径方向に長い切欠１４を備え、該切欠１４に縦動材１５側に横設したピン１６を係合して縦動材１５（該縦動材１５の上端部において）と連けい（接続）してある。
【００１６】
なお、施錠片６の基部片６ｂに設けた切欠１４を長孔に代えても良く、また、その長手方向の向きを支軸１１の径方向に沿わせて配したのは、縦動材１５の縦動に伴うピン１６の該切欠１４に沿う移動により支軸１１を中心とする施錠片６の回動が円滑に行われ、施錠片６の受止片１３との係離操作を安定的に行うためである。従って、ピン１６の施錠片６の押圧（切欠１４縁部に対する）による、支軸１１を軸とする施錠片６の回動動作が行われる構造であれば、切欠１４（もとより該切欠に代る長孔も）は前記の径方向に必ずしも沿う必要はない。
【００１７】
前記縦動材１５は、前記施錠片６の下方において前記装置基枠８内に縦動自在に係合した、下方と屋外側面とが開口状の縦長の断面溝形の主体部１５ａと該主体部１５ａの上部片１５ａ´に前記施錠片６を介して相対して立設した起立部片１５ｂ，１５ｂとを備え、起立部片１５ｂ，１５ｂ間の架設した前記ピン１６を、施錠片６の基部片６ｂの前記切欠１４に係合して施錠片６と連けいさせたもので、装置基枠８の縦方向の中間部に設けた受圧部片１７と主体部１５ａの前記上部片１５ａ´間に介在させたコイルばね１８によって上昇方向に付勢されるように配設したものである。そして、前記施錠片６はこの付勢に伴う縦動材１５の上昇によってピン１６を介して押圧され、受止片１３に係止する方向に回動付勢され、受止片１３に係止し、その状態は、コイルばね１８の前記付勢によって保持するようになっている。
【００１８】
また、縦動材１５の主体部１５ａの屋内側部片１５´´に頸部１９ａを介して復帰レバー１９を連設し、前記頸部（接続部）１９ａを装置基枠８に設けた縦長長孔２０に係合するようにして前記復帰レバー１９を、前記屋内側部片３ａ´´´に重ね合わせ、屋内側において復帰レバー１９を戸先框３の外側（屋内側面）に装置してある。
【００１９】
そして、この復帰レバー１９を連設した、縦動材主体部１５ａの前記屋内側部片１５ａ´´に隣接する、戸先框中空主体３ａの外ひれ部片３ｃ側の主体部部片と該屋内側部片１５ａ´´との間にスリット２９を設けて、該主体部片を下端の自由端側に弾性を付与するようにして規制片２１（縦動材１５は合成樹脂を素材とする）と成し、該規制片２１の自由端部の外側面（戸先框主体部３ａの前記外側部片３ａ´´側又は前記戸当り１２に対向する面側）に係止突子２２を設け、該係止突子２２が前記コイルばね１８の付勢に抗して係止する受止縁２３を、前記装置基枠８と戸先框主体３ａ（の外側部片３ａ´´）を開口して設けた作動片２４の嵌入口２５の上縁で構成してある。
【００２０】
作動片２４は、前記縦枠４の戸当り１２にボルト９Ａで取付けた装置基板２６に前記受止片１３と共に、該受止片１３の下側にして前記戸先框３方向に突設したもので、障子閉塞時に前記嵌入口２５に嵌入し、嵌入時に規制片２１（実施例では規制片２１の下端部）を押圧して係止突子２２の受止縁２３に対する係止状態を離脱させてコイルばね１８の付勢の規制を解放するようにしてある。
【００２１】
この作動片２４と規制片２１の位置関係は作動片２４（の先端）が規制片２１に接することにより係止突子２２が受止縁２３より離脱する位置関係にしてあることは勿論で、同時に受止片１３も施錠片６が係止できる位置関係に配してあり、これらの位置調整は、ボルト９Ａと装置基板２６に長孔２７との係合位置関係によって行うことができる。
【００２２】
しかして、復帰レバー１９の指先による操作（降下させる）によって縦動材１５はコイルばね１８の付勢に抗して降下し、この降下に伴って縦動材１５に備えた規制片２１の係止突子２２も装置基枠８（戸先框主体部３ａ）の前記部片８ａの内面に摺接しつつ降下し、嵌入口２５位置に至って、その弾性が作用して該嵌入口２５の上縁で構成する受止縁２３に係止する。この状態において、施錠片６の基部の切欠１４部は縦動材１５のピン１６によっていわば引き下げられ、施錠片６は回動して先部片６ａはいわば起立状態となって戸先框３の中空部３ａ内に収納された状態となる。
【００２３】
そして、このとき、障子ｄを閉塞方向に移動、すなわち、戸先框３と戸当り１２方向に移動させると、嵌入口２５乃至規制片２１と当位置にある縦枠戸当り１２に突設した作動片２４は規制片２１を相対的に押圧し、押圧された規制片２１に備えた係止突子２２は受止縁２３に対する係止状態から瞬間的に離脱し、この離脱と同時にコイルばね１８の弾性（付勢）が働いて、縦動材１５は戸先框３の中空部３ａに沿って上昇し、縦動材１５の上昇により該縦動材１５の上端部に装置したピン１６は切欠１４の縁部を押圧し、この結果、施錠片６は支軸１１を中心に回動し、鉤状の先部片６ａは中空部３ａより出入口１０を通じて突出し、当位置に存する受止片１３に係止して施錠され、該状態は、前記の通り、コイルばね１８の付勢作用によって維持される。
【００２４】
そして、障子開放時には、復帰レバー１９を操作して規制片２１の係止突子２２を受止縁２３に係止させることによって、障子開放時の前記状態を得られるのである。
【００２５】
なお、障子ｄ（戸先框３）側に受止片１３を、窓枠ｗ（縦枠４）側に施錠片６をそれぞれ配置するようにしても良く、この場合、縦枠４に縦動材１５その他の部材も装置することになるから、該縦枠４はそれに対応する形態（構成）にすることになる。
【図面の簡単な説明】
【００２６】
【図１】要部の縦断面図。
【図２】図１の横断面図。
【図３】障子開放時の状態の要部の縦断面図。
【図４】図３のｘ−ｘ線断面図。
【図５】引違いサッシの略示正面図
【符号の説明】
【００２７】
３      戸先框
４      縦枠
６      施錠片
６ａ    先部片
６ｂ    基部片
１２    戸当り
１３    受止片
１５    縦動材
１８    コイルばね
２１    規制部片
２３    受止縁
２４    作動片
【図１】
2005240279.tif 000003
【図２】
2005240279.tif 000004
【図３】
2005240279.tif 000005
【図４】
2005240279.tif 000006
【図５】
2005240279.tif 000007